(57)【要約】【課題】オーブン室本体内に溜まった可燃性ガスに引火した場合に、爆発の規模を低減しつつ、爆発時のガス圧でドアが勢いよく開いてしまって使用者に危険な状態となることを防止する。【解決手段】ドア１５を閉鎖状態に保つラッチ１７は、ラッチ軸１８を挟んでその両側に直線的に延伸するアーム１７１を有し、後方側に位置するアーム１７１の一端が、オーブン室本体１０又は該オーブン室本体１０を含むガスクロマトグラフ装置本体の筐体に設けられた掛止部２０と係合する鉤状部１７２になっている。内部空間１１で爆発が発生し、内扉１５２と右側壁面１０１の前縁部との空隙を通して勢いよくガス流が流出すると、該ガス流はラッチ軸１８より前方側のアーム１７１に当たる。これにより、ラッチ１７は反時計回り方向に力を受けるので、鉤状部１７２と掛止部２０との係合は強まり、その係合が外れてドア１５が開いてしまうことを回避することができる。【選択図】図３
2018189535.tif 000002
【特許請求の範囲】
【請求項１】
a)略直方体形状であってその前面が開放された開口であるオーブン室本体部と、
b)前記オーブン室本体部の開口を開閉するドアであって、ドア本体と、該ドア本体の内側に弾性部材を介して設けられた内扉とを有し、該弾性部材は前記ドア本体に対し前記内扉を該ドア本体と反対方向に付勢することで、当該ドアが閉鎖されたときに該内扉を前記オーブン室本体部の開口の周縁部に押し付けるものであるドアと、
c)前記ドアが前記オーブン室本体部の開口を閉鎖した状態で該ドアを該オーブン室本体部に係合させるべく、該ドアに設けられた回動可能なラッチと、該ラッチの一部に係合する、前記オーブン室本体部又は該オーブン室本体部を含むガスクロマトグラフ装置本体の筐体に設けられた掛止部と、からなるドア閉鎖保持機構と、
を備え、前記ラッチは、回転軸を挟んでその両側に延伸するアームの一方の端部に前記掛止部と係合する掛止片を有し、
前記内扉が内部空間側からのガス圧に押されて該内扉とオーブン室本体部との間に空隙が形成されたときに該空隙を通して内部空間から流出するガス流が当たる位置に、前記ラッチにあって前記回転軸を挟んで前記掛止片とは反対側に延伸するアームが位置するように、該ラッチが設けられていることを特徴とするガスクロマトグラフ用オーブン。
【請求項２】
請求項１に記載のガスクロマトグラフ用オーブンであって、
前記空隙を通して内部空間から流出するガス流が、前記ラッチにあって前記回転軸から前記掛止片が設けられている側に延伸するアームに当たるのを避ける風除け部を、該ラッチ自体、前記オーブン室本体部、又は該オーブン室本体部を含むガスクロマトグラフ装置本体の筐体のいずれかに備えることを特徴とするガスクロマトグラフ用オーブン。
【請求項３】
請求項１又は２に記載のガスクロマトグラフ用オーブンと、
該オーブンの内部空間に収容されたカラムと、
前記カラムの入口端に接続された試料導入部と、
前記カラムの出口端に接続された検出部と、
を備えることを特徴とするガスクロマトグラフ装置。
【発明の詳細な説明】
【技術分野】
【０００１】
本発明は、ガスクロマトグラフ（ＧＣ）用のカラムの温度調節を行うためのガスクロマトグラフ用オーブン、及びそれを用いたガスクロマトグラフ装置に関する。
【背景技術】
【０００２】
ガスクロマトグラフ装置では、キャリアガスの流れに乗せて気体状の試料をカラムに導入し、該試料がカラムを通過する間に該試料中の各種化合物を時間方向に分離する。そして、カラムの出口端から出て来る試料ガスを検出器に導入し、該検出器において試料ガスに含まれる化合物を順次検出する。カラムは温度調節を行うためのオーブン内に収容されており、分析実行中に該オーブンによってカラムは、所定の温度に一定に維持されたり、或いは所定の昇温プログラムに従って時間経過に伴い温度が上昇するように調整されたりする。
【０００３】
上記オーブンは一般的に、カラムを収容可能な大きさの内部空間が形成された略直方体形状であるオーブン室の内部にヒータ及びファンが設置されたものであり、そのオーブン室の前面に設けられたカラムを出し入れするための大きな開口は横開き式のドアで開閉されるようになっている。一般に、温度調節の性能を高めるため、ドアが閉鎖された状態でオーブン室は高い気密性が保たれるように構成されている。
【０００４】
ガスクロマトグラフ装置ではキャリアガスとして水素ガスが利用される場合がある。またガスクロマトグラフ装置では、水素炎イオン化検出器（ＦＩＤ）など、検出に水素ガスを要する検出器が使用される場合もある。こうした場合、カラムと試料導入部との接続部やカラムと検出部との接続部等で接続不良があったりカラムや接続器具の不備や破損があったりすると、水素ガスが漏れ出して密閉状態であるオーブン室内に溜まることがある。この溜まった水素ガスに何らかの原因で引火すると爆発が起こり、オーブン室内のガス圧が急激に上昇して該オーブンの構成部材を周囲に飛散させる危険性がある（非特許文献１など参照）。こうした爆発を軽減するためのオーブンとして、従来、特許文献１に記載のものが知られている。
【０００５】
図５（ａ）は特許文献１に記載のオーブンの概略水平断面図（ただし、図面が煩雑になるのを避けるため、一部の要素は端面で示している）である。この図では、下方に向いた面が前面、上方に向いた面が背面である。
このオーブンは、略直方体形状であって前面の全体が開放した状態であるオーブン室本体１０と、該オーブン室本体１０の前面開口を開閉するドア１５と、を有し、ドア１５が閉鎖されるとカラムを収容するための内部空間１１が形成される。オーブン室本体１０は、図５（ａ）で見えている、右側面壁１０１、左側面壁１０２、背面壁１０３、及び底面壁１０４のほか、図５（ａ）には現れない天面壁からなる。各壁はグラスウール等の断熱材を２枚の金属板で挟んだ３層構造である。背面壁１０３にはモータ１２が取り付けられ、内部空間１１に延伸するモータ１２の回転軸にはファン１３が固定されている。また、そのファン１３を取り囲むようにヒータ１４が配置されている。
【０００６】
ドア１５は、ドア本体１５１と、グラスウール等の断熱材から成る内扉１５２と、該内扉１５２をドア本体１５１に対して内部空間１１側に付勢するばね１５３と、を含む。ドア本体１５１は垂直方向（図５（ａ）では紙面に直交する方向）に延伸するドア軸１６を中心に回動自在にオーブン室本体１０（厳密には左側面壁１０２）に固定されている。図１に示すように、ドア１５を閉じているとき、ばね１５３の付勢力により内扉１５２は後方に押される。これにより、内扉１５２は上下左右の側面壁１０１、１０２、１０４等の前縁部に押し付けられ、ドア１５はオーブン室本体１０を略密閉する。
【０００７】
ドア本体１５１の右端部（つまりはドア軸１６とは反対側の端部）には、垂直方向に延伸するラッチ軸３１を中心に回転自在に略Ｌ字形状のラッチ３０が取り付けられている。また、このラッチ３０の鉤状部に係合する形状の掛止部３２がオーブン室本体１０（厳密には右側面壁１０１）に固定されている。図示しないが、ラッチ３０はばねによって図５（ａ）において反時計回り方向に付勢されており、図５（ａ）に示すように、ドア１５がオーブン室本体１０の前面開口を閉鎖するように閉められた状態でラッチ３０の鉤状部は掛止部３２に係合し、ドア１５は確実に閉鎖状態に保たれる。ドア１５を開く場合には、使用者はドア１５の前面にある図示しない把手を把持する。すると、ラッチ３０の鉤状部と掛止部３２との係合が一時的に外れ、使用者はドア１５を前方に開くことができるようになっている。
【０００８】
上述したように、ドア１５が閉鎖され内部空間１１が略密閉状態であるときに、該内部空間１１に水素ガスが溜まってそれに引火すると爆発が生じる。すると、内部空間１１でガス圧は急激に上昇する。上述したように内扉１５２はばね１５３によって内方に付勢されているが、急激に上昇するガス圧はその付勢力に優るため、図５（ｂ）に矢印Ｂで示すように、内扉１５２はガス圧に押されてドア本体１５１に近づく。すると、内扉１５２と左右の側面壁１０１、１０２の前縁部との間に空隙が形成され、この空隙を通して内部空間１１からガスが吐き出される（図５（ｂ）中の矢印Ｄ参照）。即ち、その空隙を通して一種のガス抜きが行われる。それによって、内部空間１１のガス圧の上昇の程度が緩和され、爆発の規模を低減することができる。
【０００９】
しかしながら、この従来のオーブンでは次のような問題がある。
上述したように内扉１５２と左右の側面壁１０１、１０２の前縁部との空隙を通してガスが急激に排出されるとき、そのガス流の勢いは非常に強い。そのガス流がドア１５の右端のラッチ３０に当たると該ラッチ３０には図５（ｂ）中に矢印Ｅで示す方向の大きな力が掛かり、鉤状部と掛止部３２との係合が外れてしまう場合がある。そうなると、内扉１５２全体に掛かるガス圧に押されてドア１５が勢いよく開いてしまい、該ドア１５の前に居る使用者にドア１５が接触する等の危険がある。
【先行技術文献】
【特許文献】
【００１０】
【特許文献１】特開２０１６−２１７９１２号公報
【非特許文献】
【００１１】
【非特許文献１】「水素ガスの安全使用について（取扱上の注意）  6. ガスクロマトグラフ運転時に想定される危険」、株式会社島津製作所、［online］、［平成２９年４月２８日検索］、インターネット＜URL：http://www.an.shimadzu.co.jp/gc/support/faq/bombe6.htm＞
【発明の概要】
【発明が解決しようとする課題】
【００１２】
本発明は上記課題を解決するためになされたものであり、その目的とするところは、オーブン室の内部空間に溜まった水素ガス等の可燃性ガスに引火して爆発が起こった場合でも、その爆発の程度を抑えながら、ドアが勢い良く開放してしまうことも防止することができるガスクロマトグラフ用オーブン及びそれを用いたガスクロマトグラフ装置を提供することにある。
【課題を解決するための手段】
【００１３】
上記課題を解決するために成された本発明に係るガスクロマトグラフ用オーブンは、
a)略直方体形状であってその前面が開放された開口であるオーブン室本体部と、
b)前記オーブン室本体部の開口を開閉するドアであって、ドア本体と、該ドア本体の内側に弾性部材を介して設けられた内扉とを有し、該弾性部材は前記ドア本体に対し前記内扉を該ドア本体と反対方向に付勢することで、当該ドアが閉鎖されたときに該内扉を前記オーブン室本体部の開口の周縁部に押し付けるものであるドアと、
c)前記ドアが前記オーブン室本体部の開口を閉鎖した状態で該ドアを該オーブン室本体部に係合させるべく、該ドアに設けられた回動可能なラッチと、該ラッチの一部に係合する、前記オーブン室本体部又は該オーブン室本体部を含むガスクロマトグラフ装置本体の筐体に設けられた掛止部と、からなるドア閉鎖保持機構と、
を備え、前記ラッチは、回転軸を挟んでその両側に延伸するアームの一方の端部に前記掛止部と係合する掛止片を有し、
前記内扉が内部空間側からのガス圧に押されて該内扉とオーブン室本体部との間に空隙が形成されたときに該空隙を通して内部空間から流出するガス流が当たる位置に、前記ラッチにあって前記回転軸を挟んで前記掛止片とは反対側に延伸するアームが位置するように、該ラッチが設けられていることを特徴としている。
【００１４】
本発明に係るガスクロマトグラフ用オーブンを用いてガスクロマトグラフィ分析を行う際には、カラムが収容されたカラムオーブン本体部の前面開口はドアで塞がれ、該ドアはドア閉鎖保持機構によって、より具体的には、回動されたラッチの掛止片がオーブン室本体部又は該オーブン室本体部を含むガスクロマトグラフ装置本体の筐体に設けられた掛止部に係合することによって、閉鎖状態に維持される。
【００１５】
閉鎖状態になる内部空間に何らかの理由で水素ガス等の可燃性ガスが溜まり引火すると、爆発が起こって内部空間のガス圧は急激に上昇する。すると、内扉が押されて該内扉とオーブン室本体部との間に空隙が形成され、その空隙を通して内部空間からガス流が勢いよく流出する。これにより、内部空間のガス圧の急激な上昇は低減され、爆発の程度を緩和することができる。上記空隙を通して内部空間から流出したガス流はラッチのアームに当たり、アームを押してラッチを回転させる大きな力が作用するが、その回転方向は従来とは異なり、ラッチの掛止片が掛止部に係合する方向である。そのため、内部空間から流出して来たガス流の作用によって、ラッチの掛止片と掛止部との係合が解除されてしまうことはなく、ドア閉鎖保持機構によるドアの閉鎖状態の維持は継続される。それにより、内部空間で爆発が生じても、ドアが勢い良く開いてしまうことを防止することができる。
【００１６】
本発明に係るガスクロマトグラフ用オーブンでは、好ましくは、
前記空隙を通して内部空間から流出するガス流が、前記ラッチにあって前記回転軸から前記掛止片が設けられている側に延伸するアームに当たるのを避ける風除け部を、該ラッチ自体、前記オーブン室本体部、又は該オーブン室本体部を含むガスクロマトグラフ装置本体の筐体のいずれかに備える構成とするとよい。
【００１７】
この構成によれば、ラッチにあって回転軸から掛止片が設けられている側に延伸するアームに勢いのあるガス流が当たることが風除け部によって妨げられるので、ラッチの掛止片と掛止部との係合が解除されてしまうことを一層確実に防止することができる。それにより、内部空間で爆発が起こった場合でも、ドアが勢い良く開いてしまうことを確実に防止することができる。
なお、オーブン室本体部には、温度が上昇した内部空間を冷却する際に開く吸排気機構を備える構成としてもよい。
【００１８】
また本発明に係るガスクロマトグラフ装置は、上述した本発明に係るガスクロマトグラフ用オーブンと、該オーブンの内部空間に収容されたカラムと、前記カラムの入口端に接続された試料導入部と、前記カラムの出口端に接続された検出部と、
を備えることを特徴としている。
【００１９】
ここで検出部の検出方式は特には限定されず、一般にガスクロマトグラフ装置で使用されている様々な方式の検出部を用いることができる。また、試料導入部も、試料気化室内で気化させた試料をカラムに導入するもの、ヘッドスペース法で採取した気体状の試料をカラムに導入するものなど、その試料導入の方式を問わない。
【発明の効果】
【００２０】
本発明に係るガスクロマトグラフ用オーブン及びそれを用いたガスクロマトグラフ装置によれば、万が一、オーブン室の内部空間に溜まった水素ガス等の可燃性ガスに引火して爆発が起こった場合でも、その爆発の程度を抑えながら、ドアが勢い良く開放してしまうことを防止することができる。それによって、勢い良く開いたドアが使用者に当たって該使用者が怪我をしたり、或るは、勢い良く開いたドアがその前方に置かれていた各種器材等に激しく当たってそれを破損したり広く飛散させたりすることを防止することができる。
【図面の簡単な説明】
【００２１】
【図１】本発明の一実施例であるガスクロマトグラフ用オーブンにおいてドアを閉鎖した状態での概略水平断面図。
【図２】本実施例のガスクロマトグラフ用オーブンにおいてドアを開放した状態での概略水平断面図。
【図３】本実施例のガスクロマトグラフ用オーブンにおいて内部空間で爆発が生じた直後の状態を示す略水平断面図。
【図４】本実施例のガスクロマトグラフ用オーブンを用いたガスクロマトグラフ装置の全体構成図。
【図５】従来のガスクロマトグラフ用オーブンにおいてドアを閉鎖した状態での概略水平断面図（ａ）、及び内部空間で爆発が生じた直後の状態を示す部分略水平断面図（ｂ）。
【発明を実施するための形態】
【００２２】
以下、本発明に係るガスクロマトグラフ用オーブン及びそれを用いたガスクロマトグラフ装置の一実施例を、添付図面を参照して説明する。
図１は本実施例のガスクロマトグラフ用オーブンにおいてドアを閉鎖した状態での概略水平断面図、図２は本実施例のガスクロマトグラフ用オーブンにおいてドアを開放した状態での概略水平断面図、図３は本実施例のガスクロマトグラフ用オーブンにおいて内部空間で爆発が生じた直後の状態を示す略水平断面図である。図５を参照して説明した従来のガスクロマトグラフ用オーブンと同一の構成要素については同じ符号を付している。
【００２３】
本実施例のオーブンにおいてオーブン室本体１０やドア１５の構成は従来と全く同じである。即ち、略直方体形状であるオーブン室本体１０は、右側面壁１０１、左側面壁１０２、背面壁１０３、及び底面壁１０４のほか、図１等には現れない天面壁からなる。背面壁１０３にはモータ１２が取り付けられ、内部空間１１に延伸するモータ１２の回転軸にはファン１３が固定されている。また、そのファン１３を取り囲むようにヒータ１４が配置されている。ドア１５は、ドア本体１５１と、断熱材から成る内扉１５２と、該内扉１５２をドア本体１５１に対して内部空間１１側に付勢するばね１５３と、を含む。ドア本体１５１は垂直方向に延伸するドア軸１６を中心に回動自在にオーブン室本体１０に固定されている。
【００２４】
本実施例のオーブンが従来のオーブンと異なるのは、主として、ドア１５を閉鎖状態に維持するためのドア閉鎖保持機構の構成である。即ち、本実施例のオーブンにおいて、ドア１５の右端には後方に延出するドア右側カバー１５４が設けられ、ラッチ１７はこのカバー１５４に対し垂直方向に延伸するラッチ軸１８を中心に回転自在に取り付けられている。ラッチ１７はラッチ軸１８を挟んでその両側に直線的に延伸するアーム１７１を有し、後方側に位置するアーム１７１の一端が略Ｌ字状に屈曲した鉤状部１７２になっている。また、このラッチ１７の鉤状部１７２に係合する形状の掛止部２０がオーブン室本体１０に固定されている。さらに、掛止部２０よりも手前側のオーブン室本体１０には、風除け部２１が設けられている。
【００２５】
なお、アーム１７１はラッチ軸１８を挟んで鉤状部１７２とは反対側にも長く延伸しているが、ここには積極的に風を受ける（つまりは風に対する抵抗になる風）受け部を形成してもよい。また、掛止部２０及び風除け部２１はオーブン室本体１０ではなく、オーブン室本体１０を含むガスクロマトグラフ装置本体の筐体（図示せず）に固定されていてもよい。
【００２６】
ラッチ１７のアーム１７１はラッチ軸１８に内蔵されたばねにより、図１において反時計回り方向に付勢されている。これにより、ドア１５がオーブン室本体１０の前面開口を閉鎖するように閉められた状態でラッチ１７の鉤状部１７２は掛止部２０に係合し、ドア１５は確実に閉鎖状態に保たれる。また、ドア右側カバー１５４にはラッチ解除レバー１９が設けられ、ドア１５の前面又は側面にある図示しない把手を使用者が握るとラッチ解除レバー１９がアーム１７１を一時的に押し、ラッチ１７は図１中に一点鎖線（１７ａ）で示すように回動する。これにより、ラッチ１７の鉤状部１７２と掛止部２０との係合が外れるので、図２に示すように、使用者はドア１５を手前に開くことが可能となる。
【００２７】
ドア１５が閉鎖され内部空間１１が略密閉状態であるときに、該内部空間１１に水素ガスが溜まってそれに引火すると爆発が生じる。すると、内部空間１１でガス圧は急激に上昇する。上述したように内扉１５２はばね１５３によって内方に付勢されているが、急激に上昇するガス圧はその付勢力に優るため、図３に矢印Ｂで示すように、内扉１５２はガス圧に押されてドア本体１５１に近づく。すると、内扉１５２と左右の側面壁１０１、１０２の前縁部との間に空隙が形成され、この空隙を通して内部空間１１からガスが吐き出される（図３中の点線矢印Ｃ参照）。即ち、その空隙を通して一種のガス抜きが行われる。それによって、内部空間１１のガス圧の上昇の程度が緩和され、爆発の規模を低減することができる。
【００２８】
内扉１５２と左右の側面壁１０１、１０２の前縁部との間に形成される空隙の外側には、風除け部２１が設けられている。そのため、内部空間１１から空隙を通って勢い良く流出するガス流はこの風除け部２１によって、ラッチ軸１８よりも後方側のアーム１７１に当たるのが妨げられる。一方で、そのガス流はラッチ軸１８よりも前方側のアーム１７１に勢い良く当たる。これはラッチ１７を反時計回り方向に回転させる力となる。即ち、爆発によって生じるガス流はラッチ１７の鉤状部１７２と掛止部２０との係合を解除するのではなく、逆に鉤状部１７２と掛止部２０との係合を促進するように作用する。そのため、内扉１５２に大きなガス圧が加わってもドア１５が開放してしまうことはなく、ドア１５の前に居る使用者の安全性を確保することができる。
【００２９】
図４は本実施例のクロマトグラフ装置の概略構成図である。
上述したガスクロマトグラフ用オーブンのオーブン室本体１０の内部空間１１にはキャピラリカラム４が収容され、該キャピラリカラム４の入口端及び出口端はそれぞれ、オーブン室本体１０の外部に配置された試料気化室１及び検出器５に接続される。検出器５は特にその方式を問わないが、例えば水素炎イオン化検出器である。試料気化室１にはキャリアガス流路２を通して例えば水素、ヘリウム等の適宜のキャリアガスが略一定流量で以て供給される。試料気化室１は適宜の温度に加熱され、インジェクタ３から微量の液体試料が滴下されると、該試料は短時間で気化し、キャリアガスの流れに乗ってキャピラリカラム４に導入される。なお、スプリット注入法の場合には、図示しないスプリット流路を通して試料気化室１内から大部分のガスを外部へ排出し、一部のガスのみをキャピラリカラム４に導入する。
【００３０】
オーブンは例えば所定の昇温プログラムに従い時間経過に伴って温度が上昇するように制御され、試料ガスがキャピラリカラム４を通過する間に該試料ガス中の化合物は時間方向に分離され、検出器５に順次導入される。検出器５は導入された化合物の量に応じた検出信号を生成し、図示しない信号処理部に入力する。信号処理部では得られた検出信号に基づいてクロマトグラムを作成する。
【００３１】
上述したように、本実施例のクロマトグラフ装置で使用されるオーブンでは、万が一、キャリアガスとして使用される水素ガスや検出器５に使用される水素ガスがオーブン室本体１０の内部空間１１に溜まりそれに引火した場合でも、爆発の規模を抑えることができる。また、爆発に伴いドア１５が勢い良く開くことを回避できるので、使用者に対する安全性を高めることができる。
【００３２】
なお、上記実施例は本発明の一例にすぎず、本発明の趣旨の範囲で適宜変形、修正、追加等を行っても本願特許請求の範囲に包含されることは当然である。
【符号の説明】
【００３３】
１…試料気化室
２…キャリアガス流路
３…インジェクタ
４…キャピラリカラム
５…検出器
１０…オーブン室本体
１０１…右側面壁
１０２…左側面壁
１０３…背面壁
１０４…底面壁
１１…内部空間
１２…モータ
１３…ファン
１４…ヒータ
１５…ドア
１５１…ドア本体
１５２…内扉
１５３…ばね
１５４…ドア右側カバー
１６…ドア軸
１７…ラッチ
１７１…アーム
１７２…鉤状部
１８…ラッチ軸
１９…ラッチ解除レバー
２０…掛止部
２１…風除け部部
【図１】
2018189535.tif 000003
【図２】
2018189535.tif 000004
【図３】
2018189535.tif 000005
【図４】
2018189535.tif 000006
【図５】
2018189535.tif 000007